(57)【要約】【課題】本発明はプラスティックフレームにポリウレタンフィルムを貼り付けた立体物封入フレームの内枠において、ポリウレタンフィルムをプラスティックフレームの成型段階で金型に入れプラスティックフレームと共に成型する製造方法と内枠、外枠の構造に関するものである。【解決手段】ポリウレタンフィルムを成型金型に挟み込み、溶解したプラスティックを流し込み口から流し込み、成型し、図1の構造を実現する。また、外枠に内枠リムロック及び打ち枠固定ガイドを設け内枠の回転、枠はずれを防ぐ構造を実現する。【選択図】図５
2005169668.tif 000002
【特許請求の範囲】
【請求項１】
立体物封入フレームの内枠を構成するプラスティックフレームとポリウレタンフィルムがはがれないように、プラスティックフレーム成型時にポリウレタンフィルムを金型に封入し圧着するとともに、ポリウレタンフィルムのへりをプラスティックフレームに埋没させた立体物封入フレームの内枠の構造
【請求項２】
プラスティックフレームの成型金型にポリウレタンフィルムを封入し、プラスティックフレームと共に成型する立体物封入フレームの内枠の製造方法
【請求項３】
立体物封入フレーム外枠に内枠が外れることを防ぐため、内枠外リムをロックする突起を設けた外枠の構造
【請求項４】
立体物封入フレームの内枠が回転してしまうことを防ぐ為、内枠外リムの周りにロック支柱を儲け、外枠にロック支柱を固定する為の内枠固定ガイドを設けた内枠、外枠の構造
【発明の詳細な説明】
【技術分野】
【０００１】
本発明は、人形や石など、立体構造を持つ造形物を展示するためにプラスティックフレームとポリウレタンフィルムよりなる立体物封入フレームの内枠の構造とその製造法に関するものである。
【背景技術】
【０００２】
従来、立体物封入フレームの内枠は、プラスティックや、ダンボール等よりなるフレームの表面に0.05mm程度の厚みを持つポリウレタンフィルムを接着した構造をもち、フレームとポリウレタンフィルムの接着方法は、接着剤で接着したり、内枠のプラスティックフレーム成型後に熱圧着する方法を取っていた。
【発明の開示】
【発明が解決しようとする課題】
【０００３】
立体物封入フレームの内枠の製造の際に、すでに、成型されたプラスティックフレームの表面にポリウレタンフィルムを接着する製造の場合、製造工程の、フレームからはみ出ているポリウレタンフィルムを切り離す工程において、カッターで切り離そうとすると、フレームに傷をつけてしまったり、フレームからポリウレタンフィルムがはみ出てしまい、見た目が悪くなるという問題があった。また、フレームに傷をつけないように、製造工程において、はみでたポリウレタンフィルムを手で切り離そうとすると、接着面の強度が足りず、プラスティックフレームからポリウレタンフィルムがはがれてしまう場合があるという問題があった。
【０００４】
さらに、立体物封入フレームを使用する際に、封入した立体物により、ポリウレタンフィルムが伸びることで、ポリウレタンフィルムに張力が働き、内枠のプラスティックフレームからポリウレタンフィルムをはがそうとする力が働く。その際に、接着面の強度が足りず、プラスティックフレームからポリウレタンフィルムがはがれてしまう場合があるという問題があった。
【０００５】
また、封入物が重く非対称形状等の場合に、内枠が回転してしまい、正しい方向に封入物を固定できない問題があった。
【０００６】
そして、立体物封入フレームの移動等の際に外枠が外れてしまう場合があるという問題があった。
【０００７】
本発明の課題は、製造工程において、従来の製造工程より作業工程を減らし、且つ、フレームに傷をつけず、フレームの縁でポリウレタンフィルムを簡単に切り離すことを実現する製造方法と、フレームの固定が不完全な場合でも、フレームとポリウレタンの接合が強く、ポリウレタンがはがれない立体物封入フレームの内枠の構造と、内枠が回転するのを防ぐ構造と、外枠が簡単に外れてしまうのを防ぐ構造を提案することである。
【課題を解決するための手段】
【０００８】
以上の課題を解決するために、請求項１の発明は内枠のプラスティックフレームへのポリウレタンフィルムの接着面積を増やすとともに、フィルムの端を内枠のプラスティックフレームへ埋没させることで、フレームへの部分的な熱圧着や、接着剤での接着をした場合の内枠にくらべ、ポリウレタンフィルムのプラスティックフレームからの剥離に対する強度を高めた構造である。
【０００９】
請求項目２の発明は請求項目１の構造を実現し、従来より少ない工数で余分なポリウレタンフィルムの接着、余分な部分の切り離しを実現する製造方法である。
【００１０】
請求項目３は内枠が外れないよう、内枠の外リムを固定できるよう、外枠の内側に外リムロック突起を設けた構造である。
【００１１】
請求項目４は内枠が回転することにより内枠の向きが変わらないよう、内枠にロック支柱を儲け、外枠の内側に支柱を固定する為の、内枠固定ガイドを設けた構造である。
【発明の効果】
【００１２】
以上で述べたとおり、本発明によれば、従来の立体物封入フレームに比べ、ポリウレタンフィルムとフレームの接着強度をたかめることができる。
【００１３】
さらに、製造工程において、フレーム外側にあまったポリウレタンフィルムを手で簡単に切り離すことができ、且つ、カッターで切ることによる、フレームへの傷、または、ポリウレタンフィルムがフレームからはみ出て見た目を悪くすることを避けることができる。
【００１４】
また、組み立て時、外枠の内枠固定ガイドと内枠のロック支柱により内枠が回転せず、且つ、外枠の外リムロック突起と内枠の外リムにより内枠が外枠から外れにくい構造を実現している。
【実施例】
【００１５】
立体物封入フレームは図５のとおりであり、本発明の実施例の対象となる立体物封入フレームの内枠とは（６）である。立体物を封入する際には、対象物（７）を内枠（６）ではさみ、内枠を固定するために、外枠（５）をかぶせる。内枠（６）は、図1のようにポリウレタンフィルムをプラスティックフレーム面に完全に圧着すると共に、縁をプラスティックフレーム内に埋没させており、従来の構造（図６、図７）に比べ、ポリウレタンフィルムのフレームに対する接着面を広くすることが可能となり、ポリウレタンフィルムとフレームの接着強度は高くなる。
【００１６】
本実施例の立体物封入フレームの製造方法について述べる。成型過程では図４に示すとおり、金型の上部と下部から１７０℃〜３５０℃に熱せられ溶けたプラスティックを流し込む。その際、金型は、冷却水等により、２０℃〜１１０℃に保つ。その後、成型金型をはずし成型された内枠を取り出し、図８に示すとおり手で内枠の外側にはみ出たポリウレタンフィルム（９）を切り離す。
【００１７】
本実施例に利用されるポリウレタンフィルムは、立体物を封入した際にも縦355%・横440%の伸び特性がある。また、フィルムは-30℃〜100℃の範囲の温度では、前述の伸び特性を失わないが、100℃を失うと伸び特性は徐々に劣化し、120℃を超えると伸び特性は完全に失われ、簡単に切れてしまうという特性を持っている。
【００１８】
成型の際、図４(11)のように、金型内部でポリウレタンフィルムの一部に穴が開くように先のとがった突起を設ける。溶解したプラスティックは突起により空けられた穴を通り、プラスティック内部に埋没したポリウレタンフィルムを溶かす。一方、片面にプラスティックが当たる部分においては、片面に120℃より高い温度の溶解したプラスティックがかぶさるが、他方の面は低い温度の金型が存在するため、ポリウレタンフィルムは完全には溶解せず、プラスティック枠に圧着される。従来の熱圧着方法では、内枠が成型された後、ポリウレタンフィルムを内枠に熱を帯びたこてで熱圧着していたため、圧着される面積が狭く、本実施例にくらべ接着強度は低かった。
【００１９】
また、内枠からはみ出たポリウレタンフィルムは上述の理由から、従来の伸縮性を失い、手で引っ張るだけで、内枠から引き剥がすことができるようになる。
内枠成型後、あまったポリウレタンフィルム（９）は手で引き剥がし、内枠は完成する。  また、本発明における立体封入フレームは図９の１４、１５のように、内リムと外リム構造を持つ。内リムは内枠を合わせた際には、外枠の幅よりも高くなるように作られており、外枠をはめた際に、内枠が外枠の中に埋没しないように作られている。外リムは内枠の中に入るが、立体物封入フレームを移動したり、持ち上げる際に、外枠と内枠が外れないよう、図１０の１６の突起が組み立て時には内リムを固定する構造となっている。
【００２０】
外リムの外側には、図９の１０のようにロック支柱がついている。ロック支柱は立体物封入フレーム組み立て時、図１２のように内枠固定ガイドにはさまれる形となり、内枠が回転しない構造となっている。
【図面の簡単な説明】
【００２１】
【図１】立体物封入フレーム内枠の断面図
【図２】立体物封入フレーム内枠の上面図
【図３】成型金型及びポリウレタンフィルム封入図
【図４】成型金型及びポリウレタンフィルム封入断面図
【図５】立体物封入フレーム
【図６】従来の内枠上面図
【図７】従来の内枠断面図
【図８】プラスティック成型直後の内枠上面図
【図９】立体物封入フレーム内枠の下面図
【図１０】立体部中封入時の立体物封入フレーム図
【図１１】図１０のa断面図
【図１２】図１０のb断面図
【符号の説明】
【００２２】
１  ポリウレタンフィルム
２  プラスティックフレーム
３  成型金型
４  プラスティック流し込み口
５  立体物封入フレームの外枠
６  立体物封入フレームの内枠
７  封入フレームに封入する封入物
８  従来の内枠のポリウレタンフィルム接着部
９  成型後切断するポリウレタンフィルム切断部
１０  ロック支柱
１１  フィルム穴あけ部
１２  フィルム押さえ部
１３  波状接合部
１４  内枠外リム
１５  内枠内リム
１６  内枠外リムロック突起
１７  内枠固定ガイド
【図１】
2005169668.tif 000003
【図２】
2005169668.tif 000004
【図３】
2005169668.tif 000005
【図４】
2005169668.tif 000006
【図５】
2005169668.tif 000007
【図６】
2005169668.tif 000008
【図７】
2005169668.tif 000009
【図８】
2005169668.tif 000010
【図９】
2005169668.tif 000011
【図１０】
2005169668.tif 000012
【図１１】
2005169668.tif 000013
【図１２】
2005169668.tif 000014